(57)【要約】【課題】省エネルギモードにおいて利用者の希望に応じた表示項目や接続される機器の運転状況に応じた表示項目を表示し得る表示装置を提供する。【解決手段】表示パターン記憶手段１６４に、省エネルギモードにおける各種の表示パターンを記憶しておき、選択モード管理手段１６２は、省エネルギモード中にどの表示パターンを用いるかの選択操作を受け付ける。表示制御手段１６１は、省エネルギモードに入ったとき、先に選択された表示パターンに対応する表示項目だけを表示し、他の表示項目を非表示又は減光にする。【選択図】図１
2004239499.tif 000002
【特許請求の範囲】
【請求項１】
予め定めた複数の表示項目を表示可能な表示装置において、
前記複数の表示項目の中から省エネルギモードにおいて表示する一部の表示項目の選択を受け付ける選択手段と、
省エネルギモード中は、前記選択手段を通じて選択された表示項目を表示し、他の表示項目を非表示又は減光にする表示制御手段と
を有することを特徴とする表示装置。
【請求項２】
前記選択手段は、省エネルギモードにおける表示項目の選択を当該表示装置の接続される機器の運転モード毎に受け付け可能であり、
省エネルギモード中は、前記表示制御手段は、前記選択手段を通じて選択された表示項目であって前記機器の現在の運転モードに対応するものを表示し、他の表示項目を非表示又は減光にする
ことを特徴とする請求項１に記載の表示装置。
【請求項３】
前記複数の表示項目の中の一部のものを組み合わせた表示パターンを複数種類記憶した表示パターン記憶手段をさらに有し、
前記選択手段は、前記表示パターンの選択を受け付け、
前記表示制御手段は、該当する表示パターンに対応する表示項目を表示し、他の表示項目を非表示又は減光にする
ことを特徴とする請求項１または２に記載の表示装置。
【請求項４】
前記選択手段は、省エネルギモードにおいて表示するか否かの選択操作を前記表示項目毎に受け付け可能である
ことを特徴とする請求項１または２に記載の表示装置。
【請求項５】
前記表示制御手段は、選択手段によって選択された表示項目に、当該表示装置の接続される機器の運転モード毎に定めた表示項目を追加して表示する
ことを特徴とする請求項１、２、３または４に記載の表示装置。
【請求項６】
予め定めた複数の表示項目を表示可能な表示装置において、
前記複数の表示項目の中の一部のものを組み合わせた表示パターンであって省エネルギモード中に使用するものを当該表示装置の接続される機器の運転モード毎に記憶した記憶手段と、
前記記憶手段に記憶されている表示パターンの中から前記機器の現在の運転モードに対応するものを自動選択する自動選択手段と、
省エネルギモード中は、前記自動選択手段が選択した表示パターンに対応する表示項目を表示し、他の表示項目を非表示又は減光にする表示制御手段と
を有することを特徴とする表示装置。
【請求項７】
予め定めた複数の表示項目を表示可能な表示装置を制御する表示制御方法において、
前記複数の表示項目の中から省エネルギモードにおいて表示する一部の表示項目の選択を受け付ける段階と、
省エネルギモードに入っているとき、前記段階において選択された表示項目を表示し、他の表示項目を非表示又は減光にする段階と
を有することを特徴とする表示制御方法。
【請求項８】
予め定めた複数の表示項目を表示可能な表示装置を制御する表示制御方法において、
前記複数の表示項目の中の一部のものを組み合わせた表示パターンを当該表示装置の接続される機器の運転モード毎に記憶手段に記憶しておき、
省エネルギモード中は、前記記憶手段に記憶されている表示パターンの中から前記機器の現在の運転モードに対応するものを自動選択し、当該選択した表示パターンに対応する表示項目を表示し、他の表示項目を非表示又は減光にする
ことを特徴とする表示制御方法。
【発明の詳細な説明】
【０００１】
【発明の属する技術分野】
本発明は、予め定めた複数の表示項目を表示可能なリモートコントローラ等の表示装置に係わり、特に、省エネルギモードを備えた表示装置および表示制御方法に関する。
【０００２】
【従来の技術】
風呂給湯器などの給湯器は本体と、本体と配線で接続された１または２以上のリモートコントローラを備えている。台所や浴室内に設置されるリモートコントローラは、各種の操作スイッチと表示部を備えており、給湯器の運転状態を遠隔から操作したり確認したりすることを可能にしている。リモートコントローラの表示部には、給湯器の運転状態や設定状態などを表した多数の情報が表示される。たとえば、給湯設定温度、ふろ設定温度、設定水位、予約運転、予約時刻、燃焼状態などが表示される。かかる表示部には、バックライトを備えた液晶表示装置、蛍光表示管、ＬＥＤなどの表示素子が使用される。
【０００３】
従来から使用されている給湯器のリモートコントローラは、運転スイッチを入れると、すべての表示内容が表示される。たとえば、風呂の運転を行っていない場合でも、風呂設定温度や設定水位などの情報を含めたすべての項目が表示される。
【０００４】
省エネルギを考慮したリモートコントローラとしては、たとえば、給湯停止後の待機状態が一定時間以上継続すると省エネルギモードに入ってすべての表示を消灯するものがある。また給湯設定温度が６０℃以上等の高温に設定されているときは、省エネルギモードに入った場合でも給湯設定温度については表示を継続するようにしたものがある（たとえば、特許文献１参照。）。
【０００５】
【発明が解決しようとする課題】
従来の省エネルギモードを有するリモートコントローラでは、省エネルギモードでの表示内容が固定的に定められていた。たとえば、すべて消灯であったり、設定温度が高温の場合にだけ給湯設定温度を表示する等であった。しかしながら、省エネルギモード中に確認したい表示内容は利用者によって相違する場合がある。たとえば、省エネルギモードであっても風呂の自動運転を予約している場合には、その予約時刻は知りたいと考える利用者もいる。このため、固定的に定められた省エネルギモードでの表示内容以外の情報を確認したい利用者は、その都度、省エネルギモードの解除操作を行って希望の情報を確認しなければならず、不便であった。
【０００６】
また、従来のものは、待機中は省エネルギモードになっているが、出湯等を行うと省エネルギモードが解除されてすべての情報が表示される。たとえば、出湯を開始すると、風呂設定温度など出湯には関連のない項目まで同時に表示されてしまう。このため、実際には必要のない情報まで表示され、節電効果を充分に高めることができなかった。
【０００７】
本発明は、このような問題点に着目してなされたもので、省エネルギモードにおいて利用者の希望に応じた表示項目だけを表示したり接続される機器の運転状況に応じた表示項目を表示することのできる表示装置および表示制御方法を提供することを目的としている。
【０００８】
【課題を解決するための手段】
かかる目的を達成するための本発明の要旨とするところは、次の各項の発明に存する。
［１］予め定めた複数の表示項目（１３１〜１４９，１５１〜１５４）を表示可能な表示装置（１００）において、
前記複数の表示項目（１３１〜１４９，１５１〜１５４）の中から省エネルギモードにおいて表示する一部の表示項目の選択を受け付ける選択手段（１１５〜１１８，１６２）と、
省エネルギモード中は、前記選択手段（１１５〜１１８，１６２）を通じて選択された表示項目を表示し、他の表示項目を非表示又は減光にする表示制御手段（１６１）と
を有することを特徴とする表示装置（１００）。
【０００９】
［２］前記選択手段（１１５〜１１８，１６２）は、省エネルギモードにおける表示項目の選択を当該表示装置（１００）の接続される機器の運転モード毎に受け付け可能であり、
省エネルギモード中は、前記表示制御手段（１６１）は、前記選択手段（１１５〜１１８，１６２）を通じて選択された表示項目であって前記機器の現在の運転モードに対応するものを表示し、他の表示項目を非表示又は減光にする
ことを特徴とする［１］に記載の表示装置（１００）。
【００１０】
［３］前記複数の表示項目（１３１〜１４９，１５１〜１５４）の中の一部のものを組み合わせた表示パターンを複数種類記憶した表示パターン記憶手段（１６４）をさらに有し、
前記選択手段（１１５〜１１８，１６２）は、前記表示パターンの選択を受け付け、
前記表示制御手段（１６１）は、該当する表示パターンに対応する表示項目を表示し、他の表示項目を非表示又は減光にする
ことを特徴とする［１］または［２］に記載の表示装置（１００）。
【００１１】
［４］前記選択手段（１１５〜１１８，１６２）は、省エネルギモードにおいて表示するか否かの選択操作を前記表示項目毎に受け付け可能である
ことを特徴とする［１］または［２］に記載の表示装置（１００）。
【００１２】
［５］前記表示制御手段（１６１）は、選択手段（１１５〜１１８，１６２）によって選択された表示項目に、当該表示装置（１００）の接続される機器の運転モード毎に定めた表示項目を追加して表示する
ことを特徴とする［１］、［２］、［３］または［４］に記載の表示装置（１００）。
【００１３】
［６］予め定めた複数の表示項目（１３１〜１４９，１５１〜１５４）を表示可能な表示装置（１００）において、
前記複数の表示項目（１３１〜１４９，１５１〜１５４）の中の一部のものを組み合わせた表示パターンであって省エネルギモード中に使用するものを当該表示装置（１００）の接続される機器の運転モード毎に記憶した記憶手段と、
前記記憶手段に記憶されている表示パターンの中から前記機器の現在の運転モードに対応するものを自動選択する自動選択手段（１１５〜１１８，１６２）と、
省エネルギモード中は、前記自動選択手段（１１５〜１１８，１６２）が選択した表示パターンに対応する表示項目を表示し、他の表示項目を非表示又は減光にする表示制御手段（１６１）と
を有することを特徴とする表示装置（１００）。
【００１４】
［７］予め定めた複数の表示項目（１３１〜１４９，１５１〜１５４）を表示可能な表示装置（１００）を制御する表示制御方法において、
前記複数の表示項目（１３１〜１４９，１５１〜１５４）の中から省エネルギモードにおいて表示する一部の表示項目の選択を受け付ける段階と、
省エネルギモードに入っているとき、前記段階において選択された表示項目を表示し、他の表示項目を非表示又は減光にする段階と
を有することを特徴とする表示制御方法。
【００１５】
［８］予め定めた複数の表示項目（１３１〜１４９，１５１〜１５４）を表示可能な表示装置（１００）を制御する表示制御方法において、
前記複数の表示項目（１３１〜１４９，１５１〜１５４）の中の一部のものを組み合わせた表示パターンを当該表示装置（１００）の接続される機器の運転モード毎に記憶手段に記憶しておき、
省エネルギモード中は、前記記憶手段に記憶されている表示パターンの中から前記機器の現在の運転モードに対応するものを自動選択し、当該選択した表示パターンに対応する表示項目を表示し、他の表示項目を非表示又は減光にする
ことを特徴とする表示制御方法。
【００１６】
次に、前記各項に記載された発明の作用について説明する。
表示装置（１００）は、予め定めた複数の表示項目（１３１〜１４９，１５１〜１５４）を表示可能になっており、選択手段（１１５〜１１８，１６２）は、複数の表示項目（１３１〜１４９，１５１〜１５４）の中から省エネルギモードにおいて表示する一部の表示項目の選択操作を受け付ける。表示制御手段（１６１）は、省エネルギモードに入っているとき、選択手段（１１５〜１１８，１６２）を通じて選択された表示項目を表示し、他の表示項目を非表示又は減光にする。
【００１７】
このように、省エネルギモードにおける表示項目を選択することができるので、利用者の希望に沿った情報を表示することが可能になる。
【００１８】
選択手段（１１５〜１１８，１６２）は、当該表示装置（１００）の接続される機器の運転モード毎に表示項目の選択を受け付ける。たとえば、出湯動作中、風呂予約中、風呂運転中、風呂保温中などの運転モード毎に表示項目の選択を個別に受け付ける。表示制御手段（１６１）は、省エネルギモードに入っているとき、選択手段（１１５〜１１８，１６２）を通じて選択された表示項目であって機器の現在の運転モードに対応するものを表示し、他の表示項目を非表示又は減光にする。
【００１９】
このように接続される機器の運転モード毎に省エネルギモードでの表示項目を個別に選択できるので、待機中以外においても省エネルギモードを継続できる。すなわち、運転モードに応じて必要な表示項目を表示しながら当該運転モードに不要な表示項目を非表示又は減光にすることで、消費電力を低減することができる。
【００２０】
選択に際し、表示パターン記憶手段（１６４）に、複数の表示項目（１３１〜１４９，１５１〜１５４）の中の一部のものを組み合わせた表示パターンを複数種類記憶しておく。複数種類の表示パターンは、予め固定的に定めてもよいし、利用者が任意に設定し得るように構成してもよい。
【００２１】
選択手段（１１５〜１１８，１６２）は、表示パターン記憶手段（１６４）に記憶されている複数種類のものの中から表示パターンの選択を受け付け、表示制御手段（１６１）は、省エネルギモードに入っているとき、選択手段（１１５〜１１８，１６２）を通じて選択された表示パターンに対応する表示項目を表示し、他の表示項目を非表示又は減光にする。
【００２２】
このように、１または２以上の表示項目を組み合わせた表示パターンを複数登録しておき、表示パターンを単位に表示項目を選択するようにしたので、選択時の操作性が向上する。
【００２３】
選択手段（１１５〜１１８，１６２）は、省エネルギモードにおいて表示すべき項目の選択操作を表示項目毎に受け付け、表示制御手段（１６１）は、省エネルギモードに入っているとき、選択手段（１１５〜１１８，１６２）を通じて表示することが選択された表示項目を表示し、他の表示項目を非表示又は減光にする。このように、表示項目毎に個別に選択可能にすることで、きめ細かく利用者の希望に対応することができる。
【００２４】
また利用者が選択した待機中における表示項目に、運転モードに対応付けて固定的に定めた表示項目（たとえば燃焼ランプ）を追加して表示するように構成してもよい。さらに運転モード毎に表示パターンを対応付けて予め記憶しておき、機器の現在の運転モードに対応する表示パターンを自動選択し、当該表示パターンに対応する表示項目を表示するように構成してもよい。これにより、利用者が選択操作を行うことなく、それぞれの運転モードにおいて省エネルギモードで表示を行うことができる。
【００２５】
【発明の実施の形態】
以下、図面に基づき本発明の実施の形態を説明する。
本発明の実施の形態にかかる表示装置は、給湯器本体１０に接続される浴室用のリモートコントローラ１００として構成されている。図１は、リモートコントローラ１００の概略回路構成を示し、図２は、リモートコントローラ１００の外観をその正面から表したものである。リモートコントローラ１００は、操作を受け付けるための複数のスイッチ１１１〜１２６と、情報を表示するための複数の表示部１３１〜１４９と、スイッチに内蔵されたランプ１５１〜１５４と、マイクの機能を兼ねたスピーカ１０１と、リモートコントローラ１００の動作を統轄制御する制御部１６０とを有している。
【００２６】
スイッチには、図２に示すように、呼び出しスイッチ１１１と、優先スイッチ１１２と、おいだきスイッチ１１３と、自動スイッチ１１４がある。また詳細設定用に、給湯アップスイッチ１１５と、給湯ダウンスイッチ１１６と、湯量アップスイッチ１１７と、湯量ダウンスイッチ１１８と、ふろ温度アップスイッチ１１９と、ふろ温度ダウンスイッチ１２０とがある。このほか、ゆらぎシャワースイッチ１２１と、たし湯スイッチ１２２と、ぬる湯スイッチ１２３と、保温時間スイッチ１２４と、運転スイッチ１２５と、音量スイッチ１２６とがある。これらは図示省略の開閉可能な蓋で通常はカバーされている。
【００２７】
呼び出しスイッチ１１１は、浴室内から台所など他の箇所に設置されたもう１つのリモートコントローラとの間でインターフォン機能を有効にし、かつ相手を呼び出すためのスイッチである。優先スイッチ１１２は、他の箇所に設置されたリモートコントローラよりも当該リモートコントローラ１００で設定した給湯温度を優先するためのスイッチである。おいだきスイッチ１１３は、風呂の追焚運転の開始や停止を行うためのスイッチである。
【００２８】
自動スイッチ１１４は、風呂の自動運転の開始や停止を行うためのスイッチである。風呂の自動運転をオンにすると、設定された水位まで設定された温度の湯を自動で浴槽に湯張りし、かつその温度および湯量を設定された保温時間（たとえば４時間）が経過するまで保持するように給湯器本体１０が動作する。
【００２９】
給湯アップスイッチ１１５は、給湯設定温度を上げるためのスイッチであり、給湯ダウンスイッチ１１６は、給湯設定温度を下げるためのスイッチである。湯量アップスイッチ１１７は、浴槽設定水位を上げるためのスイッチであり、湯量ダウンスイッチ１１８は、浴槽設定水位を下げるためのスイッチである。ふろ温度アップスイッチ１１９は、ふろを保温する際の設定温度を上げるためのスイッチであり、ふろ温度ダウンスイッチ１２０は、同温度を下げるためのスイッチである。
【００３０】
ゆらぎシャワースイッチ１２１は、シャワーの勢い又は出湯温度を変化させて、人に心地よいとされるＦ分の１の揺らぎで変化させるためのスイッチである。たし湯スイッチ１２２は、浴槽にたし湯するためのスイッチである。ぬる湯スイッチ１２３は、浴槽に水を入れて湯温を下げるためのスイッチである。保温時間スイッチ１２４は、自動運転中の保温時間を変更するためのスイッチである。運転スイッチ１２５は、給湯器本体１０の運転をオンオフするためのメインスイッチである。音量スイッチ１２６は、先に説明したインターフォン機能を作動させた際に、相手方からの声の大きさを変更するためのスイッチである。これらのスイッチ１１１〜１２６の中の一部のものは、表示項目や表示パターンを選択するための選択手段として機能する。音量スイッチ１２６の左横には、マイクとしても機能するスピーカが内蔵されている。
【００３１】
リモートコントローラ１００が備える多数の表示部のうち、給湯に関する表示項目の表示部としては、当該リモートコントローラ１００が給湯設定温度の設定において他のリモートコントローラより優先される状態にあることを「優先」の文字で表示する優先表示部１３１と、シャワーの勢い又は出湯温度を変化させる揺らぎモードに設定されていることを「ゆらぎ」の文字で表示するゆらぎ表示部１３２と、炎の絵柄を変動させて給湯側の燃焼を通知する給湯燃焼表示部１３３と、給湯設定温度を数字で表示する給湯設定温度表示部１３４がある。
【００３２】
風呂に関する表示項目を表示する表示部としては、自動運転が予約中であることを「予約」の文字で表示する予約表示部１４１と、現在時刻もしくは予約時刻を表示する時刻表示部１４２と、炎の絵柄を変動させて風呂側の燃焼を通知する風呂燃焼表示部１４３と、風呂の設定温度を表示する風呂設定温度表示部１４４とがある。さらに、浴槽の設定水位を表示する水位表示部１４５と、風呂の保温中であることを「保温」の文字で表示する保温表示部１４６と、浴槽に水または湯を注水中もしくは追焚中であることを矢印の点滅で表示する矢印表示部１４７と、水の注水中であることを「水」の文字で表示する水表示部１４８と、湯の注水中であることを「湯」の文字で表示する湯表示部１４９を備えている。
【００３３】
これらの表示部は、それぞれ独立した蛍光表示管で構成されており、独立に点灯・消灯可能になっている。さらに、呼び出しスイッチ１１１、優先スイッチ１１２、おいだきスイッチ１１３、自動スイッチ１１４にはそれぞれ個別のランプ１５１〜１５４が内蔵されている。
【００３４】
制御部１６０は、ＣＰＵ、ＲＯＭ、ＲＡＭを主要部とする回路で構成されている。制御部１６０は、リモートコントローラ１００の動作を統括制御するほか、各スイッチ１１１〜１２６の操作受付や給湯器本体１０との間で各種指令（運転モードや運転状況を示す信号など）の送受信を行う機能を有している。さらに制御部１６０は、表示制御手段１６１と、選択モード管理手段１６２と、節電モード管理手段１６３と、表示パターン記憶手段１６４としての機能を果たす。表示パターン記憶手段１６４は、書換え可能な不揮発性のメモリで構成されている。
【００３５】
表示制御手段１６１は、通常モードおよび省エネルギモードにおける表示制御を行う機能を果たす。選択モード管理手段１６２は、選択モードへの出入り、選択モード中のスイッチ入力やスクロール表示、表示パターン記憶手段への登録などを管理する機能を果たす。節電モード管理手段１６３は、省エネルギモードへの出入を管理する機能を果たす。表示パターン記憶手段１６４は、表示パターンを記憶する。表示パターンは、接続される給湯器本体１０の動作モード毎にも記憶可能になっている。
【００３６】
図３（ａ）は、省エネルギモードに入らない場合の待機中における表示項目の一例を示している。優先表示部１３１、ゆらぎ表示部１３２、給湯設定温度表示部１３４、予約表示部１４１、時刻表示部１４２、風呂設定温度表示部１４４および水位表示部１４５が表示され、さらに、たし湯スイッチ１２２のランプが点灯している。このうち優先表示部１３１、ゆらぎ表示部１３２、予約表示部１４１、時刻表示部１４２、たし湯スイッチ１２２に内蔵されたランプ１５２は、それぞれの機能がオンになっているときに表示がオンになる。給湯設定温度表示部１３４、風呂設定温度表示部１４４、水位表示部１４５については、待機中、常に表示がオンになる。なお、時刻表示部１４２は、風呂の自動運転の予約がオフの場合には、現在時刻を示す時計として表示がオンになる。
【００３７】
同図（ｂ）は、省エネルギモードに入った状態での待機中における表示項目の一例を示している。この例では、給湯設定温度表示部１３４だけが表示され、他の項目は非表示又は減光になっている。省エネルギモードでは、たとえば、優先やゆらぎの機能がオンになっていても、その旨の表示は行われないようになっている。
【００３８】
省エネルギモードにおける表示項目は、図３（ｂ）に示した態様に限らず、利用者が適宜選択し得るようになっている。省エネルギモードでの表示項目を選択する方法は（ａ）選択モードへの移行方法、（ｂ）選択方法、（ｃ）ガイド方法、（ｄ）決定方法、（ｅ）脱出方法の各項目を適宜組み合わせることによってさまざまに構成することができる。
【００３９】
（ａ）選択モードへの移行方法としては、たとえば、▲１▼特定スイッチの２回連続操作で遷移、▲２▼専用のスイッチの操作で遷移、▲３▼省エネルギモードに入る際等に自動で選択モードに遷移、などがある。（ｂ）選択方法（選択モードにおいて表示項目を選択する方法）としては、▲１▼複数の表示項目の中の一部のものを組み合わせた表示パターンを複数種類予め用意しておき、これらの中から表示パターンを選択する方法、▲２▼表示項目毎に個別に選択する方法等がある。
【００４０】
（ｃ）ガイド方法（選択モードに入った際に、選択される表示項目がどの箇所であるかをガイド表示する方法）には、▲１▼自動スクロールと、▲２▼手動スクロールがある。▲１▼自動スクロールの場合には、点灯中（選択対象）の表示箇所が自動で順番に変化する。▲２▼手動スクロールの場合には、利用者が所定の操作を行うごとに点灯中の表示箇所が変化する。▲１▼の場合は、操作容易であるが、希望の個所を行き過ぎたとき、スクロールが一巡するのを待つ必要がある。▲２▼の場合は、スクロール方向を進めたり戻したりすることができるように構成すると使い勝手が良い。
【００４１】
（ｄ）決定方法（選択を確定する方法）には、▲１▼所定のスイッチ操作で確定する、▲２▼所定時間以上の無操作で自動確定する、などがある。（ｅ）脱出方法（選択モードから脱出する方法）としては、たとえば、▲１▼特定スイッチの２回連続操作で脱出、▲２▼専用のスイッチの操作で脱出、▲３▼所定時間以上の無操作（タイムアウト）で脱出、などがあり、これらのいずれを採用してもよい。
【００４２】
たとえば上記したものの中で（ａ）選択モードへの移行方法として▲３▼省エネルギモードに入る際等に自動で選択モードに遷移を、（ｂ）選択方法として▲１▼予め用意した複数種類の中から表示パターンを選択するを、（ｃ）ガイド方法として▲１▼自動スクロールを、（ｄ）決定方法として▲１▼所定のスイッチ操作で確定するを、（ｅ）脱出方法として▲３▼所定時間以上の無操作等（タイムアウト）で脱出を、組み合わせると以下のようになる。
【００４３】
省エネルギモードに入った最初の５秒間に前回設定した表示モード（初回は初期値）が表示される。この５秒間に何も操作しないと、現在の表示モードがそのまま継続される。たとえば「待機中は、給湯設定温度表示部のみで風呂関係は一切、非表示又は減光にする」等の表示パターンが継続される。先の５秒間が経過する前に何らかのスイッチを操作すると、予め複数用意してある表示パターンが順に自動スクロールしてガイド表示が行われる。利用者は、希望の表示パターンがガイド表示されたところで所定のスイッチを操作すると、この表示パターンが省エネルギモード中の表示項目として設定される。その後、無操作が５秒間継続すると選択モードから脱出し、省エネルギモードでの表示状態に移行する。
【００４４】
また（ａ）選択モードへの移行方法として▲１▼特定スイッチの２回連続操作を、（ｂ）選択方法として▲１▼予め用意した複数種類の中から表示パターンを選択するを、（ｃ）ガイド方法として▲２▼手動スクロールを、（ｄ）決定方法として▲２▼所定時間以上の無操作で自動確定するを、（ｅ）脱出方法として▲１▼特定スイッチの２回連続操作で脱出を、組み合わせると以下のようになる。
【００４５】
特定スイッチの２回連続操作で選択モードへ入る。給湯アップスイッチ１１５を操作すると予め複数用意してある表示パターンが順方向に１つ手動スクロールし、給湯ダウンスイッチ１１６を操作すると表示パターンが逆方向に１つ手動スクロールする。何らかの表示パターンが表示された状態で給湯アップスイッチ１１５および給湯ダウンスイッチ１１６が５秒間無操作になるとタイムアウトになって、現在の表示項目が省エネルギモードでの表示項目として確定する。その後、特定スイッチを２回連続操作すると選択モードを脱出する。
【００４６】
また（ａ）選択モードへの移行方法として▲２▼専用のスイッチの操作を、（ｂ）選択方法として▲２▼表示項目毎に個別に選択するを、（ｃ）ガイド方法として▲２▼手動スクロールを、（ｄ）決定方法として▲１▼所定のスイッチ操作で確定するを、（ｅ）脱出方法として▲２▼専用のスイッチの操作で脱出を、組み合わせると以下のようになる。
【００４７】
専用のスイッチを操作すると選択モードへ入る。選択モードへ入ると選択対象としてガイド表示されるいずれか１つの表示項目が点滅表示される。表示項目の選択スイッチである給湯アップスイッチ１１５と給湯ダウンスイッチ１１６を操作すると、点滅される表示項目が変化する。給湯アップスイッチ１１５を操作すると予め定めた順序の順方向に点滅箇所が１つ変化し、給湯ダウンスイッチ１１６を操作すると点滅箇所が逆方向に戻る。何らかの表示項目が点滅している状態で湯量アップスイッチ１１７を操作すると表示項目として確定し当該表示項目が点灯する。湯量ダウンスイッチ１１８を操作すると、非表示又は減光にする項目として確定し消灯する。使用者は次々と点滅させる表示項目を手動で遷移させては、表示するか非表示又は減光とするかを選択する。そして専用のスイッチを再び操作すると選択モードから脱出する。
【００４８】
待機中の表示パターンには、たとえば、▲１▼給湯設定温度表示部１３４のみ、▲２▼給湯設定温度表示部１３４と時刻表示部１４２、▲３▼給湯設定温度表示部１３４と予約表示部１４１、▲４▼給湯設定温度表示部１３４と予約表示部１４１と時刻表示部１４２、▲５▼給湯設定温度表示部１３４と予約表示部１４１と水位表示部１４５と風呂設定温度表示部１４４、▲６▼給湯設定温度表示部１３４と時刻表示部１４２と予約表示部１４１と水位表示部１４５と風呂設定温度表示部１４４、▲７▼使用者の自由設定、等がある。
【００４９】
次に、リモートコントローラ１００の動作の流れの一例を詳細に説明する。図４は、省エネルギモードに関してリモートコントローラ１００が行う動作の流れを示している。運転スイッチ１２５が操作されて運転がオンになると、リモートコントローラ１００は、まず、通常モードでの表示動作を行う。たとえば、通常モードにおいて給湯器本体１０が待機中の場合には、図３（ａ）に示すような表示状態になる。すなわち、オンになっている機能にかかわる表示に加えて給湯設定温度や風呂設定温度等の表示項目が表示される。
【００５０】
この状態で、いずれかのスイッチの２回連続操作や２つのスイッチの同時操作などの特定操作が行われると（ステップＳ４０２；Ｙ）、強制的に選択モードへ移行し、後述する選択モード処理が行われる（ステップＳ４０３）。選択モードでは、省エネルギモードにおいて表示をオンにする表示項目を選択する。
【００５１】
出湯停止後に待機状態が５分継続するなど、通常モードから省エネルギモードに入るための条件が成立すると（ステップＳ４０４；Ｙ）、選択モードへ自動遷移する（ステップＳ４０５）。そして、省エネルギモードにおいてオンにする表示項目を選択するための選択モード処理が行われる（ステップＳ４０６）。
【００５２】
その後、省エネルギモードでの表示動作を開始する（ステップＳ４０７）。すなわち、選択モードにおいて選択された一部の表示項目だけを表示し、他の表示項目を非表示又は減光にする。かかる省エネルギモード中に何らかのスイッチが操作されると（ステップＳ４０８；Ｙ）、そのとき、一時的に省エネルギモードが解除され、通常モードでの表示がしばらく行われた後、再び省エネルギモードに戻る（ステップＳ４０９）。出湯が開始するなど省エネルギモードから脱出する条件が成立すると（ステップＳ４１０；Ｙ）、ステップＳ４０１に戻って、通常モードに切り換えて通常動作を行う。
【００５３】
図５は、選択モード処理の流れを示している。選択モード処理では、図４のステップＳ４０５からの自動遷移か否かを判定し（ステップＳ５０１）、自動遷移である場合には（ステップＳ５０１；Ｙ）、ブザーを鳴らし、表示を一時的にすべて点滅させるなど、警告音の送出や警報表示を行うことで、自動で選択モードに入ったことを利用者に報知する（ステップＳ５０２）。自動遷移の場合は上記の報知を行った後、また自動遷移でない場合は（ステップＳ５０１；Ｎ）、上記の報知を行うことなく、現在設定されている省エネルギモードでの表示項目を点滅表示する（ステップＳ５０３）。
【００５４】
この状態で１分経過しても、なんらスイッチ操作が無い場合は（ステップＳ５０４；Ｎ、ステップＳ５０５；Ｙ）、省エネルギモードにおける表示項目の設定内容を変更することなく、選択モード処理を終了する（エンド）。一方、１分経過する前に、スイッチ操作があった場合は（ステップＳ５０４；Ｙ）、予め登録されている表示パターンを順に切り換える自動スクロール動作を開始し、それぞれの表示パターンに対応した表示項目を点滅表示する（ステップＳ５０６）。表示パターンの切換は、たとえば２〜３秒間隔で行われる。
【００５５】
図６は、自動スクロールの一例を示している。同図（ａ）では、給湯設定温度表示部１３４のみが点滅する。次に同図（ｂ）のように給湯設定温度表示部１３４と時刻表示部１４２が点滅する。続いて同図（ｃ）のように給湯設定温度表示部１３４と予約表示部１４１が点滅する。次に同図（ｄ）のように給湯設定温度表示部１３４と予約表示部１４１と時刻表示部１４２が点滅する。続いて同図（ｅ）のように給湯設定温度表示部１３４と予約表示部１４１と風呂設定温度表示部１４４と水位表示部１４５が点滅する。その後、同図（ｆ）のように給湯設定温度表示部１３４と予約表示部１４１と時刻表示部１４２と風呂設定温度表示部１４４と水位表示部１４５が点滅する。次に同図（ｇ）のように「００」が給湯設定温度表示部１３４で点滅する。同図（ｇ）の後、同図（ａ）に再び戻ってスクロールが一巡し、これが継続する。
【００５６】
このような自動スクロール動作中にいずれかのスイッチが操作されると、そのときの表示状態に対応した設定が行われる。たとえば、自動スクロール動作中は、自動スイッチ１１４は自動運転のオンオフ切換として機能せず、表示パターンの設定スイッチとして機能する。自動スクロール動作中にかかるスイッチ操作がなされると（ステップＳ５０７；Ｙ）、そのときの表示内容が図６（ｇ）の状態か否かを判断する（ステップＳ５０９）。ここでは、図６（ｇ）の表示状態を、表示項目毎に表示・非表示又は減光を手動で選択するモードに入るか否かを問い合わせる旨の表示状態と定めてある。したがって、図６（ｇ）の状態でスイッチ操作が検出されると（ステップＳ５０９；Ｙ）、後述する手動設定の処理が行われる（ステップＳ５１１）。
【００５７】
スイッチ操作が成されたときの表示が図６（ｇ）の状態でない場合には（ステップＳ５０９；Ｎ）、そのときの表示中の表示パターンを省エネルギモードにおける表示項目として設定する（ステップＳ５１０）。たとえば、図６（ｄ）の表示パターンを表示中にスイッチ操作があると、給湯設定温度表示部１３４と予約表示部１４１と時刻表示部１４２とを組み合わせた表示パターンが省エネルギモード中の表示項目を示す表示パターンとして設定される。
【００５８】
その後、１分経過すると（ステップＳ５０７；Ｎ、ステップＳ５０８；Ｙ）、選択モード処理を終了する（エンド）。なお、１分の経過前に再度スイッチ操作があった場合には、後から行われたスイッチ操作が優先される。またスクロール動作開始後、なんらのスイッチ操作がないまま１分経過した場合にも本処理は終了する。この場合には、省エネルギモードにおける表示項目は前回の設定状態が維持される。
【００５９】
図７は、手動設定の処理の流れを示している。手動設定では、表示パターンを選択するのではなく、１つの表示項目毎に表示のオンオフを選択するようになっている。まず、予め第１番目に定めた所定の表示項目が点滅表示される（ステップＳ７０１）。この状態で送り操作（たとえば、給湯アップスイッチ１１５の操作）が行われると、点滅させる表示項目を次の項目に移動させる（ステップＳ７０３）。戻り操作（たとえば、給湯ダウンスイッチ１１６の操作）が行われると（ステップＳ７０４；Ｙ）、点滅させる表示項目を１つ前の箇所に戻す（ステップＳ７０５）。
【００６０】
確定操作（たとえば、湯量アップスイッチ１１７の操作）が行われると（ステップＳ７０６；Ｙ）、現在、点滅している表示箇所を省エネルギモード中における１つの表示項目に設定する。取消操作（たとえば、湯量アップスイッチ１１７の操作）が行われると（ステップＳ７０８；Ｙ）、現在点滅している表示箇所を省エネルギモード中の表示項目から除外する（ステップＳ７０９）。無操作で１分経過すると（ステップＳ７１０；Ｙ）、手動設定の処理を終了し、それまでは（ステップＳ７１０；Ｎ）、ステップＳ７０２に戻って、スイッチの操作に対応した手動設定処理を継続する。
【００６１】
図８は、手動設定中の表示状態の遷移の一例を示している。同図（ａ）は、風呂設定温度表示部１４４が選択の対象項目として点滅している状態をハッチングによって模式的に示している。同図（ａ）の状態で確定操作が行われると、同図（ｂ）に示すように、風呂設定温度表示部１４４は点滅から点灯に変化する。その後、送り操作が行われると同図（ｃ）に示すように時刻表示部１４２が点滅を開始する。確定操作を行わずにさらに送り操作を行うと、同図（ｄ）に示すように、時刻表示部１４２は消灯し、次の項目である予約表示部１４１が点滅する。このようにして、手動設定によって確定操作を行った表示箇所が次々と追加点灯されるので、省エネルギモードにおける表示内容を確認しながら、手動設定の処理を進めることができる。
【００６２】
次に、待機中以外の状態においても省エネルギモードが継続する場合について説明する。たとえば、上述した選択モードにおいて省エネルギモードの待機中における表示項目を設定し、当該表示項目に、給湯器本体１０の運転状態に対応した適宜に表示項目を追加表示する。図９は、待機中の表示項目として給湯設定温度表示部１３４のみを選択した場合において、出湯が開始されたときの表示状態を示している。出湯が開始することによって、給湯燃焼表示部１３３が追加表示されている。このほか、風呂の自動運転の予約中には、待機中の表示項目に予約表示部１４１と時刻表示部１４２が追加表示される。また風呂の保温中には待機中の表示項目に風呂設定温度表示部１４４と水位表示部１４５と保温表示部１４６とが追加表示される等である。
【００６３】
また運転モード毎に個別に表示項目や表示パターンを選択し得るように構成してもよい。たとえば、図５に示した選択モード処理では、待機中に省エネルギモードに入ることを前提として、待機中における表示項目を選択したが、給湯中、風呂焚き上げ中、風呂保温中、風呂予約中などの運転モード毎に表示項目や表示パターンの選択を受け付けるようにし、運転モード毎に省エネルギモードにおける表示パターンや表示項目を記憶するように構成してもよい。
【００６４】
さらに待機中であっても、浴槽水位が検出されないときと、浴槽水位が検出されているときとで、省エネルギモードにおける表示項目を変化させてもよい。すなわち、水位が検出されたときは、風呂設定温度表示部１４４など風呂に関連する表示項目を表示し、水位が検出されないときは風呂に関連する表示項目を非表示又は減光にする等である。
【００６５】
以上、本発明の実施の形態を図面によって説明してきたが、具体的な構成はこれに限られるものではなく、本発明の要旨を逸脱しない範囲における変更や追加があってもかまわない。
【００６６】
たとえば、実施の形態では、給湯器のリモートコントローラ１００を例に説明したが、他の機器における表示装置であってもかまわない。また、実施の形態ではリモートコントローラ１００の内部に表示制御手段１６１、選択モード管理手段１６２、節電モード管理手段１６３、表示パターン記憶手段１６４を具備させたが、これらの機能を給湯器本体１０に持たせ、給湯器本体１０からリモートコントローラ１００へ表示内容や選択モードでの動作を指示する構成にしてもよい。また、本発明にかかわる方法を実施し得るものであれば、装置構成等は、実施の形態に例示したものに限定されない。
【００６７】
また、表示部の機能をバックライトの必要な液晶表示器等を用いて実現する場合には、バックライトを複数に分けて構成するとよい。これにより、表示をオンにする表示部に対応する箇所のバックライトだけを点灯し、非表示又は減光の表示部のみに対応するバックライトを消灯または減光することができる。たとえば、給湯にかかわる表示項目に対応する部分のバックライトと風呂にかかわる表示項目に対応する部分のバックライトとを分けて構成する等である。
【００６８】
【発明の効果】
本発明にかかる表示装置および表示制御方法によれば、省エネルギモードにおける表示項目を選択できるので、省エネルギ化を図りつつ利用者の希望に沿った情報を表示することができる。
【００６９】
接続される機器の運転モード毎に省エネルギモードでの表示項目を個別に選択可能なものでは、それぞれの運転モードに応じた表示項目だけを選択して表示することができるので、たとえば待機中以外の状態においても省エネルギモードを継続して、消費電力を低減することができる。
【００７０】
１または２以上の表示項目を組み合わせた表示パターンを複数登録しておき、表示パターンを単位に表示項目を選択するように構成したものでは、選択時の操作性が向上する。一方、表示項目毎に個別に選択可能にしたものでは、きめ細かく利用者の希望に対応することができる。
【００７１】
選択手段によって選択された表示項目に、当該表示装置の接続される機器の運転モード毎に定めた表示項目を追加して表示するものでは、たとえば、省エネルギモードの待機中における表示項目を選択しておくだけで、運転モード毎に必要な表示項目が表示され、運転モード毎に表示項目を選択する場合に比べて選択操作や選択内容の登録が簡略化される。
【００７２】
利用者が選択した待機中における表示項目に、運転モードに対応付けて固定的に定めた表示項目（たとえば燃焼ランプ）を追加して表示するように構成してもよい。さらに運転モード毎に表示パターンを対応付けて予め記憶しておき、機器の現在の運転モードに対応する表示パターンを自動選択して省エネルギモードでの表示を行うようにしてもよい。
【図面の簡単な説明】
【図１】本発明の一実施の形態に係る表示装置としてのリモートコントローラの概略回路構成を示すブロック図である。
【図２】本発明の一実施の形態に係る表示装置としてのリモートコントローラを示す正面図である。
【図３】省エネルギモードに入らない場合の待機中における表示項目の一例と省エネルギモードに入った場合の待機中における表示項目の一例を対比して示す説明図である。
【図４】本発明の一実施の形態に係る表示装置としてのリモートコントローラの省エネルギモードにかかわる動作の主たる流れを示す流れ図である。
【図５】本発明の一実施の形態に係る表示装置としてのリモートコントローラが行う選択モード処理を示す流れ図である。
【図６】本発明の一実施の形態に係る表示装置としてのリモートコントローラにおいて表示パターンを選択する際にガイド表示がスクロールする様子の一例を示す説明図である。
【図７】本発明の一実施の形態に係る表示装置としてのリモートコントローラが行う手動選択処理を示す流れ図である。
【図８】本発明の一実施の形態に係る表示装置としてのリモートコントローラにおいて表示項目を手動選択する際の表示内容の変化の一例を示す説明図である。
【図９】本発明の一実施の形態に係る表示装置としてのリモートコントローラの省エネルギモードにおける給湯中の表示項目の一例を示す説明図である。
【符号の説明】
１０…給湯器本体
１００…リモートコントローラ
１０１…スピーカ
１１１…呼び出しスイッチ
１１２…優先スイッチ
１１３…おいだきスイッチ
１１４…自動スイッチ
１１５…給湯アップスイッチ
１１６…給湯ダウンスイッチ
１１７…湯量アップスイッチ
１１８…湯量ダウンスイッチ
１１９…ふろ温度アップスイッチ
１２０…ふろ温度ダウンスイッチ
１２１…ゆらぎシャワースイッチ
１２２…たし湯スイッチ
１２３…ぬる湯スイッチ
１２４…保温時間スイッチ
１２５…運転スイッチ
１２６…音量スイッチ
１３１…優先表示部
１３２…ゆらぎ表示部
１３３…給湯燃焼表示部
１３４…給湯設定温度表示部
１４１…予約表示部
１４２…時刻表示部
１４３…風呂燃焼表示部
１４４…風呂設定温度表示部
１４５…水位表示部
１４６…保温表示部
１４７…矢印表示部
１４８…水表示部
１４９…湯表示部
１５１〜１５４…ランプ
１６０…制御部
１６１…表示制御手段
１６２…選択モード管理手段
１６３…節電モード管理手段
１６４…表示パターン記憶手段
【図１】
2004239499.tif 000003
【図２】
2004239499.tif 000004
【図３】
2004239499.tif 000005
【図４】
2004239499.tif 000006
【図５】
2004239499.tif 000007
【図６】
2004239499.tif 000008
【図７】
2004239499.tif 000009
【図８】
2004239499.tif 000010
【図９】
2004239499.tif 000011